(57)【要約】【課題】パストライザ等の容器熱処理装置の構造を簡略化し、軽量化、コンパクト化して装置の運搬、据え付け等の作業を容易にする。【解決手段】容器を搬送する搬送コンベヤ２と、この搬送コンベヤ２によって搬送されている容器に対して散水を行う複数の散水ノズル１２とを有するシャワーゾーンＢＡを囲む外枠を、縦方向のスタンド１８およびピラー２０、２４と水平方向のアッパーレール２１と、横断方向のハリ２６およびレール受け２８等からなるフレーム１６を連結して構成し、かつ、前記シャワーゾーンＢＡの下方に設置されている貯水タンク１４の幅を、前記フレーム１６の幅よりも小さくした。【選択図】図１
2010006409.tif 000002
【特許請求の範囲】
【請求項１】
容器を搬送する搬送コンベヤと、この搬送コンベヤ上の容器に散水を行う複数の散水ノズルと、前記搬送コンベヤの下方に設置され、散水ノズルから散水される水を貯留する貯水タンクと、前記散水ノズルと搬送コンベヤとを有するシャワーゾーンを覆う外枠とを備えた容器熱処理装置において、
前記貯水タンクの幅を、上部の外枠の幅よりも狭くするとともに、前記外枠内で散水されて上方から落下してくる水を受けて貯水タンクに案内するたらいを設け、このたらいと貯水タンクの上端開口部とを連結したことを特徴とする容器熱処理装置。
【発明の詳細な説明】
【技術分野】
【０００１】
本発明は、パストライザやクーラ等の容器に散水をすることにより熱処理を行う容器熱処理装置に関するものである。
【背景技術】
【０００２】
パストライザやクーラ等の容器熱処理装置は、上部に、多数の容器を連続的に搬送する搬送コンベヤと、このコンベヤ上の容器に温水や冷却水を散水して加熱し、または冷却する多数の散水ノズルを備えており、その下部には、容器に対して散水する水を貯留するとともに、散水された後流下する水を受ける貯水タンクが設置されている。このような構成の容器熱処理装置は、充分な加熱効果あるいは冷却効果を得るために、長い搬送距離が必要であるが、従来の構成では一体構造の缶体を有しており、処理装置全体の長さが長大であり、しかも、上部缶体構造と下部構造である貯水タンクが一体であるため、非常に重量が大きく、製作、設置場所への搬入、据え付け等の作業が困難であり、しかも、コスト高であった。また、散水ノズルへの配管も多数配置されており、メンテナンス性が悪いという問題もあった。
【０００３】
そこで、軽量化、低コスト化を図るとともにメンテナンス性を向上させるようにした構成の装置（食品容器処理装置）が提案された（特許文献１参照）。この特許文献１に記載された発明に係る食品容器処理装置は、缶体（この特許文献１では装置箱体）の骨格である柱部、上下梁部、上下梁部間に掛け渡される小梁部を中空棒状部材を用いて構築し、各部材内部を流体の流路とし、小梁部に設けたノズルから流体を吹き出す構成としたものである。
【特許文献１】特許第３００２１１６号公報（第２−３頁、図１）
【発明の開示】
【発明が解決しようとする課題】
【０００４】
前記特許文献１に記載された構成では、上下の梁部は装置全体の長さが必要であり、大型の装置の場合には、設置場所への搬入や据え付けに前記従来の構成と同様に困難が伴うという問題がある。また、貯水タンクも一体構造であるため、上部構造と同様の幅が必要であり、必要以上にタンクの容積が大きくなってしまう。そのため、運転開始時における昇温作業に係る準備エネルギーが大きくなるという問題があった。タンクのサイズが大きいまま貯水量を少なくすると、ノズルに散水用の水を送るためのポンプの吸い込み口に充分な水位が得られなくなり、所定量の水量を送ることができなくなって渦が発生するという問題があった。
【課題を解決するための手段】
【０００５】
本発明は、前記課題を解決するためになされたもので、容器を搬送する搬送コンベヤと、この搬送コンベヤ上の容器に散水を行う複数の散水ノズルと、前記搬送コンベヤの下方に設置され、散水ノズルから散水される水を貯留する貯水タンクと、前記散水ノズルと搬送コンベヤとを有するシャワーゾーンを覆う外枠とを備えた容器熱処理装置において、前記貯水タンクの幅を、上部の外枠の幅よりも狭くするとともに、前記外枠内で散水されて上方から落下してくる水を受けて貯水タンクに案内するたらいを設け、このたらいと貯水タンクの上端開口部とを連結したことを特徴とするものである。
【発明の効果】
【０００６】
本発明の充填装置は、搬送コンベヤと散水ノズルが設けられているシャワーゾーンを囲む外枠の幅よりも貯水タンクの幅を小さくするとともに、上方から散水され落下する水をたらいで受けて貯水タンクに案内するようにしたので、装置全体を軽量化して設置場所への搬入や据え付けなどの作業性を向上させるとともに、低コスト化することができ、しかも、貯水タンクの貯水量を少なくして、昇温あるいは冷却のためのエネルギーを削減することができる。
【発明を実施するための最良の形態】
【０００７】
上部の外枠内に、容器を搬送する搬送コンベヤと、この搬送コンベヤ上の容器に散水を行う散水ノズルを有するシャワーゾーンを設けるとともに、その下方に、前記散水ノズルから散水された水を受ける貯水タンクを設け、かつ、この貯水タンクの幅を上部の外枠の幅よりも小さくし、上部のシャワーゾーンの散水される領域よりも貯水タンクの幅が狭い部分には、たらいを設置して上方から落下してくる水をこのたらいによって受けて、貯水タンク内に案内するという構成にしたことより、容器熱処理装置全体の構造の簡素化、軽量化、低コスト化を図るとともに、貯水タンクの貯水量を低減するという目的を達成する。
【実施例１】
【０００８】
以下、図面に示す実施例により本発明を説明する。図１は本発明の一実施例に係る容器熱処理装置の側面図、図２はその横断面図、図３はこの容器熱処理装置の外枠の構造を説明する斜視図である。この実施例に係る容器熱処理装置は、上流側の容器供給部Ａと中間の容器処理部Ｂと下流側の容器排出部Ｃから構成されている。これら上流側の容器供給部Ａから、容器処理部Ｂおよび容器排出部Ｃに亘って搬送コンベヤ２が設置されている。容器供給部Ａには、搬送コンベヤ２の上流端を構成する従動スプロケット４が配置されており、この搬送コンベヤ２の走行方向と直交する方向に配置されている供給コンベヤ６から容器が供給される。一方、容器排出部Ｃには、図示しない駆動源に連結されて回転される駆動軸に取り付けられた駆動スプロケット８が配置されており、この搬送コンベヤ２の下流端から、搬送コンベヤ２と直交する方向に配置された排出コンベヤ１０上に容器が排出されて、次の工程に送られる。
【０００９】
中間の容器処理部Ｂの上部は、シャワーゾーンＢＡになっており、前記搬送コンベヤ２と、この搬送コンベヤ２によって搬送されている容器に上方から散水を行う多数の散水ノズル１２が配置されている。また、容器処理部Ｂの下部には、前記散水ノズル１２に送られる水を貯留するとともに、このシャワーゾーンＢＡ内で散水ノズル１２から散水され、流下してきた水を受け入れる貯水タンク１４が設置されている。
【００１０】
この容器熱処理装置は、搬送コンベヤ２によって容器を連続的に搬送している間に、容器処理部Ｂの上部側のシャワーゾーンＢＡに設置された散水ノズル１２からこれら容器に対して散水をすることにより、容器を加熱しまたは冷却する等の処理を行うようになっている。従って、このような処理を行うために必要とする充分な長さを有している。この実施例に係る容器熱処理装置では、強度が高く、しかも、搬送方向の長さが短いフレーム１６（図３参照）を構成し、このフレーム１６を長手方向に順次連結することにより、前記熱処理に必要な長さを確保している。各フレーム１６は、図３（この図では一つのフレーム１６の幅方向の片側だけを示している）に示すように、前後二本のスタンド１８の上方にそれぞれ直立したピラー２０が固定され、その上端に搬送方向と平行に配置された水平なアッパーレール２１が固定されている。下方のスタンド１８と上方のピラー２０との間にたらい２２の外側端部２２ａが挟持されている。また、二本のピラー２０の中間には中間ピラー２４が取り付けられている。
【００１１】
図３に示すスタンド１８、ピラー２０、中間ピラー２４およびアッパーレール２１から成るフレーム１６の一側面と同一の構成がフレーム１６の逆側にも設けられており（図示を省略しているが、図３の左上方に位置している）、両側のアッパーレール２１間に渡って、搬送方向と直交する方向に配置された３本の水平なハリ２６が固定されている。また、両側の垂直な２本のピラー２０および中間ピラー２４のほぼ中間の高さに、搬送方向と直交する方向に配置された水平なレール受け２８がそれぞれ配置されている。これら３本のレール受け２８は、これらレール受け２８と直交方向に配置されている搬送コンベヤ２の搬送面を支持する部材であるとともに、このフレーム１６の強度を確保するための部材にもなっている。このように両側に配置された縦方向のスタンド１８、ピラー２０および中間ピラー２４と、これら両側のピラー２０および中間ピラー２４の間に渡された上部のハリ２６と、その下方の水平な３本のレール受け２８から成るフレーム１６を、長手方向に順次連結して、この容器熱処理装置の容器処理部Ｂの外枠を構成している。
【００１２】
前記フレーム１６を連結して構成した容器処理部Ｂの外枠の、上部側がシャワーゾーンＢＡになっており、このシャワーゾーンＢＡの側面の各ピラー２０および中間ピラー２４間の空間には、図示はしていないがそれぞれパネルが嵌め込まれる。このパネルは着脱可能であり、取り外すことにより内部のメンテナンスを極めて容易に行うことができる。前記シャワーゾーンＢＡの上部には、搬送コンベヤ２によって搬送される容器に対して散水する多数の散水ノズル１２が設けられている。これら散水ノズル１２は、両側のアッパーレール２１に等間隔で形成されている散水パイプ孔３０に取り付けられた散水パイプ（図示せず）に設けられている。散水ノズル１２は、散水パイプに等間隔で多数取り付けられており、後に説明する下方の貯水タンク１４から図示しないポンプおよび配管を介して散水パイプに供給された水を噴射する。
【００１３】
前記シャワーゾーンＢＡの下方には、散水用の水を貯留するとともに、前記多数の散水ノズル１２から噴射されて流れ落ちる水を受けるための貯水タンク１４が設けられている。この実施例では、図２に示すように、この貯水タンク１４の幅が上方のシャワーゾーンＢＡの幅であるフレーム１６の幅（フレーム１６を連結した外枠の幅）よりも大幅に狭くなっている。この貯水タンク１４も、スタンド１５に取り付けられており、前記フレーム１６の内部で自立している。
【００１４】
貯水タンク１４の横幅が上方のシャワーゾーンＢＡよりも狭いため、シャワーゾーンＢＡの両端部寄りの散水ノズル１２から噴射された水は直接貯水タンク１４内に流下しないので、貯水タンク１４内へ案内するためのたらい２２、３２が両側に設けられている。この実施例では、貯水タンク１４がシャワーゾーンＢＡのセンターから一方へずれているので（図２の右側へずれている）、一方（図２の左側）のたらい３２は幅が広く、他方のたらい２２は幅が狭くなっている。たらい２２、３２は、この容器熱処理装置の外側に位置している端部２２ａ、３２ａが前記スタンド１８とピラー２０との間に挟持されて固定されている。この外側端部２２ａ、３２ａが最も高く、内部側（幅方向の中央部側）へ向けて僅かに低くなっており、さらに、内部側の端部２２ｂ、３０ｂは下方へ折り曲げられている（一方のたらい２２の端部２２ｂ側を拡大して示す図４参照）。一方、このたらい２２、３２の内部側端部２２ｂ、３２ｂが連結される貯水タンク１４は、上端開口部１４ａが貯水タンク１４の内部側に向けて水平に折り曲げられており、前記たらい２２、３２の端部２２ｂ、３２ｂがこの貯水タンク１４の折り曲げられた上端開口部１４ａよりも内部側まで延びて貯水タンク１４の上端開口部１４ａの上方を覆った状態でボルト締めもしくは溶接により連結される。
【００１５】
以上の構成に係る容器熱処理装置の作動について説明する。供給コンベヤ６によって搬送されてきた容器が、容器熱処理装置の容器供給部Ａ内で、図示しない移動手段によって搬送コンベヤ２上に供給される。搬送コンベヤ２上の容器は、中間の容器処理部Ｂの上部を構成するシャワーゾーンＢＡに導入され搬送される。シャワーゾーンＢＡの搬送コンベヤ２の上方には、多数の散水ノズル１２が設けられており、下方の貯水タンク１４内に収容されている水が図示しないポンプ、配管等によって散水ノズル１２に送られ、下方の搬送コンベヤ２上の容器に散水される。貯水タンク１４の上方で散水された水は、直接下方の貯水タンク１４内に落下し、また、貯水タンク１４の外側に散水された水は、両側のたらい２２、３２に落下し、このたらい２２、３２に案内されて貯水タンク１４内に流入する。このようにして搬送コンベヤ２による搬送中に散水ノズル１２からの散水を受けて加熱または冷却等の処理が行われた容器は、容器排出部Ｃの搬送コンベヤ２の下流端まで搬送され、排出コンベヤ１０上に受け渡されてこの容器熱処理装置から搬出される。
【００１６】
この実施例に係る容器熱処理装置では、容器処理部Ｂの搬送コンベヤ２や散水ノズル１２を囲む外枠を、スタンド１８、ピラー２０、中間ピラー２４、ハリ２６、レール受け２８等から構成されるフレーム１６を複数連結する構造にし、側壁のピラー２０および中間ピラー２４間にパネル（図示せず）を嵌め込む構成にしたので、従来の全長に亘る一体型の缶体構造に比較して装置の製作、運搬、据え付け等の作業性が大幅に向上した。また、上部の構造を軽量化したことに加えて、貯水タンク１４を小型化して軽量化したので、コストダウンを図ることができる。さらに、この実施例では、貯水タンク１４の幅が上部のシャワーゾーンＢＡの幅よりも狭いので、保有水量を従来の構成と比較して少なくすることができ、運転前の昇温等にかかる準備エネルギーを大幅に低減することができる。また、各ピラー２２および中間ピラー２４の間に嵌め込んだパネルを取り外すことができるので、内部の清掃メンテナンス性が向上した。
【図面の簡単な説明】
【００１７】
【図１】容器熱処理装置の側面図である。（実施例１）
【図２】容器熱処理装置の横断面図である。
【図３】容器熱処理装置の外枠を構成するフレームの斜視図である。
【図４】貯水タンクとたらいとの連結部の構成を示す図であり、図２のＩＶ部の拡大図である。
【符号の説明】
【００１８】
ＢＡ    シャワーゾーン
２    搬送コンベヤ
１２    散水ノズル
１４    貯水タンク
２２    たらい
３２    たらい
【図１】
2010006409.tif 000003
【図２】
2010006409.tif 000004
【図３】
2010006409.tif 000005
【図４】
2010006409.tif 000006